(57)【要約】      （修正有）【課題】異型缶バッジの表蓋と裏蓋とのカシメ部に生じる捩じれを防止する缶バッジを提供する。【解決手段】金属板を打ち抜いて絞り加工した表蓋と裏蓋とをカシメ加工して一体化した異型缶バッジであって、表蓋の表面１０ａには装飾画が施され、表蓋の周囲絞り側面１０ｂが裏蓋を抱き込んでカシメ固定Ａ１、Ａ２し、表蓋の表面に設けられた周囲絞り側面１０ｂの異型凹部にはスリット２０が設けられている。【選択図】図１
0003218895.tif 000002
【実用新案登録請求の範囲】
【請求項１】
金属板を打ち抜いて絞り加工した表蓋と裏蓋とをカシメ加工して一体化した異型缶バッジであって、表蓋の表面には装飾画が施され、表蓋の周囲絞り側面が裏蓋を抱き込んでカシメ固定し、表蓋の表面に設けられた周囲絞り側面の異型凹部にはスリットが設けられている事を特徴とする缶バッジ。
【請求項２】
請求項１記載の缶バッジにおいて、表蓋の表面に設けられた周囲絞り側面の異型凸部にもスリットが設けられている事を特徴とする缶バッジ。
【考案の詳細な説明】
【技術分野】
【０００１】
本考案は、缶バッジ、特に意匠性に優れた異型缶バッジの新規な構造に関する。
【背景技術】
【０００２】
金属板を打ち抜いて絞り加工した表蓋と裏蓋とをカシメ加工して製造する装飾用の缶バッジは、表蓋に施された、或いは表蓋に重ねられた装飾原稿の図案に依り高度の装飾性を示し、各種の装飾に用いられている。
従来の缶バッジは、通常平面丸型形状を有していたが、近年、ハート或いは星型など各種の異型バッジが使用されるように成り、装飾原稿の図案ばかりでなく、形状との組み合わせで多数の優れた装飾性を演出できるように成って来た。
特許文献１には、このようなハート型或いは星型の異型バッジの構造が示されている。
【先行技術文献】
【特許文献】
【０００３】
【特許文献１】特開２０１８−２９８１８号公報
【考案の概要】
【考案が解決しようとする課題】
【０００４】
しかし、特許文献１に記載された従来技術の缶バッジでは、異型凹部に生じる皺を抑制する事は出来るが、その為に、表蓋の表面に凹面部が形成され、意匠の広がりに大きな制約を与えると云う問題が生じていた。
【０００５】
そこで、本考案は、異型缶バッジでありながら、図案面を構成する表蓋の表面を平坦な均一面とする事の出来る缶バッジを提供可能であることを特徴とする。
【課題を解決するための手段】
【０００６】
本考案は、金属板を打ち抜いて絞り加工した表蓋と裏蓋とをカシメ加工して一体化した異型缶バッジであって、表蓋の表面には装飾画が施され、表蓋の周囲絞り側面が裏蓋を抱き込んでカシメ固定し、表蓋の表面に設けられた周囲絞り側面の異型凹部にはスリットが設けられている。
【考案の効果】
【０００７】
本考案は、表蓋の異型凹部の周囲絞り側面が裏蓋を抱き込んでカシメ固定する際に、局部的な応力の集中をスリットに依り逃がし、平坦で均一な異型状を保ちながら、表蓋と裏蓋との一体化を図る事が出来る。
【図面の簡単な説明】
【０００８】
【図１】本開示の一実施形態である缶バッジの縦断面図である。
【図２】本開示の実施形態であるハート型缶バッジの表蓋打ち抜き状態を示す平面図である。
【図３】図２の表蓋のスリットを示す拡大図である。
【図４】本開示の他の実施形態であるハート型缶バッジの表蓋打ち抜き状態を示す平面図である。
【図５】本開示の他の実施形態である星型缶バッジの表蓋打ち抜き状態を示す平面図である。
【考案を実施するための形態】
【０００９】
図１は、本考案の一実施形態であるハート型缶バッジの断面を示す。缶バッジは、表蓋１０と裏蓋１２とをカシメ固定した中空缶形状の外観を有し、表蓋１０及び裏蓋１２は、それぞれ金属板を打ち抜き加工し、更にこれを絞り加工して、図１に示すような形状に成型されている。図において、表蓋１０は、外側に僅かに凸に形成された表面１０ａとこの表面から周囲絞り加工された側面１０ｂを有する。
【００１０】
表蓋１０にはその表面に任意の装飾画が施され、缶バッジの装飾性が高められている。表面の図案は、表蓋１０に直接描かれても、あるいは別に印刷された意匠原稿を表蓋に重ねて、一緒にＡ１，Ａ２で示されるように裏蓋１２とカシメ固定しても良い。図１には、表蓋１０に意匠原稿１４を重ねて配置した構成が示してある。意匠原稿１４は表蓋と接着その他の手段によって積層固定する事が好ましい。裏蓋１２の裏側には、安全ピン１６が固定され、缶バッジを使用者の衣服、カバンなどに容易に着脱可能に取り付ける事が出来る。
【００１１】
本考案の缶バッジはその平面形状が、ハート型、星型等の異型である事を特徴とし、その表面に施された意匠と相まって、極めて装飾性に優れた缶バッジを提供可能である。
図２には、表蓋１０−１の打ち抜き加工した状態の平面が示され、外形が、ハート型異型である事が示されている。
【００１２】
異型表蓋１０−１は、図２の状態からハート型の周側面に絞り加工が施され、破線Ｂから裏側に向かって周囲絞り側面１０ｂ−１が立ち上がり、裏蓋１２とのカシメ固定が行われる。
【００１３】
本考案で特徴的な事は、上記周囲絞り側面１０ｂ−１の異型凹部に、スリット２０が設けられている事である。従来、単に異型周囲に絞り側面を形成すると、裏蓋１２とのカシメ時に、外周から中心に向かってくびれた異型凹部の側面に不正な応力集中が発生し、側面に不安定な捩じれが生じると云う問題があった。この捩じれは結果的に缶バッジの側面の傷或いは不整面として認識され、缶バッジの品質を著しく低下する要因と成っていた。これに対し、本考案では、上記周囲絞り側面１０ｂ−１の異型凹部に、スリット２０を設けた事によって、従来の応力集中が緩和され、スリットが応力を逃がすので、カシメ時にも異型凹部全体が滑らかに変形する事が出来、高い品質の缶バッジを提供する事が出来る。
【００１４】
図２に示した実施形態では、表蓋１０−１には意匠原稿１４が積層されているので、前記スリット２０も、表蓋１０−１及び意匠原稿１４の両者に設けられている。
【００１５】
図３には、前記スリット２０が拡大して示され、スリットは尖った略二等辺三角形状を有し、その開き角度がθで、長さがＬで、そして先端円弧の半径がＲで示されている。実験に依れば、開き角度θは１８から３８度、好ましくは２０度プラスマイナス２度、長さは３から７ｍｍ、先端円弧半径は０．３から０．７ｍｍの範囲が好適であった。
【００１６】
図４は、本考案の他の実施形態を示し、缶バッジの外形は図２の実施形態と同じハート型であるが、表蓋１０−２の表面には、その周囲絞り側面１０ｂ−２の異型凹部にスリット２０−１を設けるばかりで無く、その異型凸部にもスリット２０−２を設けている事を特徴とする。本考案において、表蓋と裏蓋とのカシメ時には、主として異型凹部に応力集中が生じるが、場合に依ると、異型凸部にもこのような応力集中が生じる場合があり、図４の様に、この凸部における応力集中を予め防ぐ対策は有効である。
【００１７】
図５には、本考案の他の実施形態が示され、缶バッジは外形が星型である事を特徴とする。このような星型であっても、本考案に依れば、表蓋１０−３の周囲絞り側面１０ｂ−３の異型凹部に、スリット２０−３を設けた事によって、星型の全てのカシメ部において、応力集中によるねじれを防ぎ、異型凹部全体の滑らかな変形を得る事が出来、高い品質の缶バッジを提供する事が出来る。
【符号の説明】
【００１８】
１０，１０−１，１０−２，１０−３  表蓋、１０ｂ，１０ｂ−１，１０ｂ−２，１０ｂ−３  側面、１２  裏蓋、１４  意匠原稿、２０，２０−１，２０−２，２０−３  スリット、Ａ１，Ａ２  カシメ部。
【図１】
0003218895.tif 000003
【図２】
0003218895.tif 000004
【図３】
0003218895.tif 000005
【図４】
0003218895.tif 000006
【図５】
0003218895.tif 000007